(57)【要約】【課題】効率よくマイナスイオンを運搬する冷風を局所的に供給する。【解決手段】空気吸い込み口３２から蒸発器３へと当てられた吸気Ｗ０は冷却され、冷風Ｗ１となってダクト８を伝わる。ダクト８は冷風Ｗ１の流れを一方向に、具体的にはダクト８の先端８１に向かう方向に導く。ダクト８は例えば蛇腹構造を有しており、屈曲自在であり、冷風Ｗ１を任意の方向に向けることができる。ダクト８の先端８１にはマイナスイオン発生体２００が設けられる。マイナスイオン発生体２００は、ダクト８中を進む冷風Ｗ１と平行な表面を有する。よって冷風Ｗ１の送風がマイナスイオン発生体２００によって阻害されることが少ない。また冷風Ｗ１はマイナスイオン発生体２００の表面に生じたマイナスイオンを順次に運搬することができる。【選択図】        図１
2004198069.tif 000002
【特許請求の範囲】
【請求項１】
冷風（Ｗ１）の流れを任意の一方向に導き、屈曲自在のダクト（８）と、
前記ダクトの先端（８１）近傍から所定距離だけ前記冷風の前記流れの上流方向に延びて前記ダクト内に設けられ、前記冷風の前記流れに平行な表面を有するマイナスイオン発生体（２００〜２０３）と
を備える、局所用空気調和機（１００）。
【請求項２】
前記マイナスイオン発生体（２０１）は前記ダクトの内面に設けられる、請求項１記載の局所用空気調和機（１００）。
【請求項３】
前記マイナスイオン発生体（２０２，２０３）は前記ダクトの内側において前記ダクトを横断して設けられ、前記冷風の前記流れと平行な交線で交わる複数の平面を有する、請求項１記載の局所用空気調和機（１００）。
【発明の詳細な説明】
【０００１】
【発明の属する技術分野】
この発明はマイナスイオンを供給する空気調和機に関する。
【０００２】
【従来の技術】
マイナスイオンは生体に対して好影響を与えると言われている。そしてマイナスイオンを発生する採暖具は例えば特許文献１に紹介されている。ここではマイナスイオンを発生するために、自発分極粉体と励起剤粉体とが混合して採用されている。一方、局所用空気調和機として、局所を冷房するために使用されるスポットエアコンが、例えば特許文献２に紹介されている。また、空気調和機にて調和された空気を室内へと供給するダクトであって、その内表面にマイナスイオンを発生させる塗料を塗布したものが、例えば特許文献３に紹介されている。
【０００３】
【特許文献１】
特開２００１−２１１５２号公報
【特許文献２】
特開２００２−１６８４７８号公報
【特許文献３】
特開平１１−３０４２３１号公報
【０００４】
【発明が解決しようとする課題】
しかしながら、特許文献１に開示された採暖具では、マイナスイオンを発生させる塗布膜は風に直接当たっていない。また排気口直前の近傍には配置されておらず、ヒータ−の表面に塗布膜を形成したとしても、温風が筐体中を移動する間にマイナスイオンが筐体に吸着されやすい。従ってマイナスイオンを運搬する効率が悪かった。
【０００５】
また特許文献３に開示された技術では、給気ダクトの内表面に均一に塗布することは困難であり、また製造工程が複雑となる。更に、特許文献２に開示されるようなスポットエアコンで採用されるダクトは、局所的に冷風を供給したい位置へと屈曲して用いることも多い。よってその内部にマイナスイオンを発生させる塗料を塗布しても、ダクトを屈曲することにより塗料がはげ落ちてしまう可能性がある。これではマイナスイオンを発生する長期の信頼性に乏しい。
【０００６】
しかもスポットエアコンは室内に設けられるため、室内へと送風されるためのダクトを用いることはできない。しかも当該送風によって運搬されるマイナスイオンはダクトに吸着しやすい。
【０００７】
本発明は上記の事情に鑑みてなされたもので、効率よくマイナスイオンを運搬する冷風を局所的に供給する技術を提供することを目的としている。
【０００８】
【課題を解決するための手段】
この発明のうち請求項１にかかるものは、局所用空気調和機（１００）であって、冷風（Ｗ１）の流れを任意の一方向に導き、屈曲自在のダクト（８）と、前記ダクトの先端（８１）近傍から所定距離だけ前記冷風の前記流れの上流方向に延びて前記ダクト内に設けられ、前記冷風の前記流れに平行な表面を有するマイナスイオン発生体（２００〜２０３）とを備える。
【０００９】
この発明のうち請求項２にかかるものは、請求項１記載の局所用空気調和機（１００）であって、前記マイナスイオン発生体（２０１）は前記ダクトの内面に設けられる。
【００１０】
この発明のうち請求項３にかかるものは、請求項１記載の局所用空気調和機（１００）であって、前記マイナスイオン発生体（２０２，２０３）は前記ダクトの内側において前記ダクトを横断して設けられ、前記冷風の前記流れと平行な交線で交わる複数の平面を有する。
【００１１】
【発明の実施の形態】
図１は本発明の一実施の形態にかかるスポットエアコン（局所用空気調和機）１００の構造を示す断面図である。スポットエアコン１００はキャスタ１２によって支えられるケーシング４を備え、ケーシング４はその備える仕切り板９によって上部側に位置する熱交換室４１と下部側のドレンタンク収納室４２とに区画されている。
【００１２】
熱交換室４１には凝縮器２、蒸発器３、凝縮器用ファン５、蒸発器用ファン６及び両軸モータ７が収納される。熱交換室４１は空気吸い込み口３１，３２をそれぞれ凝縮器２、蒸発器３近傍に設けている。両軸モータ７が凝縮器用ファン５、蒸発器用ファン６を回転させることにより、それぞれ空気吸い込み口３１，３２から吸気Ｗ０を凝縮器２、蒸発器３に矢印で示されるように与える。空気吸い込み口３２から蒸発器３へと当てられた吸気Ｗ０は冷却され、冷風Ｗ１となってダクト８を伝わる。ダクト８は冷風Ｗ１の流れを一方向に、具体的にはダクト８の先端８１に向かう方向に導く。空気吸い込み口３１から凝縮器２へと当てられた吸気Ｗ０は排気Ｗ２となって矢印で示されるようにスポットエアコン１００の外部へと排出される。
【００１３】
ドレンパン１４は蒸発器３において発生したドレンをドレンタンク１１へと導く。ドレンタンク収納室４２にはドレンタンク１１の他、圧縮機１も収納される。
【００１４】
ダクト８の先端８１には後に詳述するマイナスイオン発生体２００が設けられる。マイナスイオン発生体２００は、ダクト８中を進む冷風Ｗ１と平行な表面を有している。よって冷風Ｗ１の送風がマイナスイオン発生体２００によって阻害されることが少ない。また冷風Ｗ１はマイナスイオン発生体２００の表面に生じたマイナスイオンを順次に運搬することができる。このようにマイナスイオンを運搬する冷風Ｗ１を、図では特に冷風Ｗ３として矢印で示している。但し、ダクト８は屈曲自在な構造、例えば蛇腹構造を有している。よって冷風Ｗ１，Ｗ３を任意の方向へと向けることができる。
【００１５】
図２はダクト８の先端８１近傍の構成を示す断面図であり、冷風Ｗ１の流れと平行な断面を示す。ダクト８の内面に沿って、先端８１の近傍から所定距離だけ上流方向、即ち蒸発器用ファン６へと延びるマイナスイオン発生体２０１が設けられている。マイナスイオン発生体２０１は図１で示されたマイナスイオン発生体２００の一態様である。図３及び図４はそれぞれ図２のIII-III断面及びIV-IV断面を示す断面図であり、いずれも冷風Ｗ１の流れと垂直な断面を示す。
【００１６】
このように、マイナスイオン発生体２０１を先端８１の近傍から所定距離だけ延びて設けるので、内部でマイナスイオンを発生させてダクト８内でマイナスイオンを運搬する場合と比較すると、マイナスイオンを外部に供給する効率が高い。内部でマイナスイオンを発生させても、ダクト８の先端８１に至るまでにマイナスイオンがダクト８内面に吸着されやすいからである。特に、マイナスイオン発生体２０１をダクト８の内面に沿って設けられているので、冷風Ｗ１の流れを阻害しにくく、冷風Ｗ３の送風効率も阻害しにくい。
【００１７】
図５はダクト８の先端８１近傍の他の構成を示す断面図であり、冷風Ｗ１の流れと平行な断面を示す。ダクト８の内側には、先端８１の近傍から所定距離だけ上流方向、即ち蒸発器用ファン６へと延びるマイナスイオン発生体２０２，２０３が設けられている。マイナスイオン発生体２０２、２０３は図１で示されたマイナスイオン発生体２００の一態様である。図６は図５のVI-VI断面を示す断面図であり、冷風Ｗ１の流れと垂直な断面を示す。
【００１８】
マイナスイオン発生体２０２，２０３は冷風Ｗ１の流れと平行な交線で交わる複数の平面を有しており、ダクト８を横断して設けられている。よってマイナスイオン発生体２０１〜２０３の厚みを無視して考え、ダクト８内で延びる長さを同じとすれば、図２乃至図４に示された態様と比較して、図５及び図６に示された態様は、冷風Ｗ１に対してマイナスイオンを供給する面積がほぼ８／２πとなる。よってマイナスイオンの供給効率もこの比（約１．２７倍）で大きくなる。
【００１９】
もちろん、冷風Ｗ１の流れと平行な交線で交わる複数の平面を有するマイナスイオン発生体としては、この他にも、図７に示されるように、冷風Ｗ１の流れと垂直な断面において格子状を呈して配置される複数のマイナスイオン発生体２０３も採用することができる。しかしながら、かかる平面を増やすほど、マイナスイオン発生体の厚みを無視しにくくなり、冷風Ｗ３の流れを阻害しやすくするので、あまりに多く設けることは望ましくない。
【００２０】
なお、マイナスイオン発生体２００〜２０３としては、自発分極粉体が、あるいは自発分極粉体及び励起剤粉体が、それぞれ含まれる樹脂あるいは布を採用することができる。自発分極粉体としては、トルマリン、チタン酸鉛、チタン酸バリウム、ロッシェル塩等の強誘電体を使用することができる。また励起剤粉体としては、デービド鉱、ブランネル石等の天然鉱石を採用することができる。
【００２１】
マイナスイオン発生体２０１を構成する方法としては、自発分極粉体あるいは自発分極粉体及び励起剤粉体をダクト８の内面に塗布する方法も可能である。しかしながらマイナスイオン発生体２０１を均一に形成することは容易ではなく、また製造工程が複雑となる。よってマイナスイオン発生体２００〜２０３としては、樹脂あるいは布のように別途に形成することが可能な形態を有することが望ましい。かかる形態では均一に形成することができ、またダクト８の先端８１に装備することも容易だからである。
【００２２】
【発明の効果】
この発明の請求項１にかかる局所用空気調和機によれば、内部でマイナスイオンを発生させてダクト内でマイナスイオンを運搬する場合と比較すると、マイナスイオンを外部に供給する効率が高い。
【００２３】
この発明の請求項２にかかる局所用空気調和機によれば、冷風の送風効率を阻害しにくい。
【００２４】
この発明の請求項３にかかる局所用空気調和機によれば、マイナスイオンの供給効率を高める。
【図面の簡単な説明】
【図１】本発明の一実施の形態の構造を示す断面図である。
【図２】ダクト８の先端８１近傍の構成を示す断面図である。
【図３】図２のIII-III断面を示す断面図である。
【図４】図２のIV-IV断面を示す断面図である。
【図５】ダクト８の先端８１近傍の他の構成を示す断面図である。
【図６】図５のVI-VI断面を示す断面図である。
【図７】ダクト８の先端８１近傍の他の構成を示す断面図である。
【符号の説明】
８  ダクト
８１  先端
１００  スポットエアコン
２００〜２０３  マイナスイオン発生体
Ｗ１，Ｗ３  冷風
【図１】
2004198069.tif 000003
【図２】
2004198069.tif 000004
【図３】
2004198069.tif 000005
【図４】
2004198069.tif 000006
【図５】
2004198069.tif 000007
【図６】
2004198069.tif 000008
【図７】
2004198069.tif 000009